(57)【要約】【課題】施錠位置にあるデッドボルトを係止し、デッドボルトを直接に後退させて解錠する不正行為を防止するストッパ部材について、ユーザーが意図的に解錠する場合は、ストッパ部材の係止解除をスムースにして操作感を高めた施解錠装置を提案する。【解決手段】  錠箱４１に備えたギア付きハブ４５を手動操作または電動機構によって回転させ、ハブ４５のギアに噛合させたラックギアを有する摺動体４６に連動させてデッドボルト４７を進退させる施解錠装置において、前記デッドボルト４７が施錠位置に移ったときその一部を係止し、解錠方向への移動を阻止するストッパ部材５３と、僅かな遅れ時間をおいてデッドボルト４７を追随させる摺動体４６の連動機構と、前記摺動体４６に連動し、前記遅れ時間の間に前記ストッパ部材５３の係止を解除させるリンク機構５４とを設けた構成としてある。【選択図】図７
2017197990.tif 000002
【特許請求の範囲】
【請求項１】
錠箱に備えたギア付きのハブを手動操作または電動駆動で回転させ、ハブのギアに噛合させたラックを有する摺動体に連動させてデッドボルトを進退させる構成の施解錠装置において、
前記デッドボルトが施錠位置に移ったときその一部を係止可能とし、解錠方向への移動を阻止するストッパ部材と、
僅かな遅れ時間をおいてデッドボルトを追随させる摺動体の連動機構と、
前記摺動体に連動し、前記の遅れ時間の間に前記ストッパ部材の係止を解除させるリンク機構とを設けたことを特徴とする扉用の施解錠装置。
【請求項２】
請求項１に記載した扉用の施解錠装置において、
前記ハブを施錠方向または解錠方向に回転付勢する第１スプリングと、前記摺動体と前記デッドボルトとの間に設け、デッドボルトに施錠方向の移動勢力を与える第２スプリングとを設けたことを特徴とする扉用の施解錠装置。
【請求項３】
請求項１または２に記載した扉用の施解錠装置において、
前記リンク機構は、揺動部材とこの揺動部材に連結した係止解除部材とを備え、
前記揺動部材には、前記デッドボルトに揺動可能に軸支する軸部と、この軸支部から離れた位置にピン孔とを設け、
さらに、前記デッドボルトには前記ピン孔に対応する位置に長孔を設けると共に、前記摺動体には前記ピン孔と前記長孔とに連通させた駆動ピンを設けて構成したことを特徴とする扉用の施解錠装置。
【請求項４】
請求項１〜３のいずれかに記載した扉用の施解錠装置において、
前記ストッパ部材は、基部を前記錠箱のハウジングに旋回可能に軸着した長形レバーで、その先端部をデッドボルトに接近させる方向にバネ勢力を有するスプリングを備えていることを特徴とする扉用の施解錠装置。
【請求項５】
請求項４に記載した扉用の施解錠装置において、
前記ストッパ部材の先端部によって係止する前記デッドボルトの係止部には凸部を設けたことを特徴とする扉用の施解錠装置。  
【発明の詳細な説明】
【技術分野】
【０００１】
この発明は、手動操作部材または電動機構によってハブを回転させてデッドボルトを進退させる扉用の施解錠装置に関し、特に、不正行為による解錠を防止するため、デッドボルトの不用意な退出を阻止するストッパ部材を備えことが特徴となっている。
【背景技術】
【０００２】
不正行為によるデッドボルトの退出移動を防止した扉用の施解錠装置は図１０に示すように公知である。
この施解錠装置は、デッドボルト１０の上下にストッパ１１ａ、１１ｂがコイルばね１２ａ、１２ｂのバネ勢力でデッドボルト１０の後側に移動し、デッドボルト１０の進出位置からの後退を防止している。
【０００３】
具体的には、モータ１３によって電動駆動されるギア１４によりラックギア１１５が連動されると、摺動体１６が移動し、しがって、デットボルト１０が摺動体１６に連動されて錠箱１７から進出し施錠位置に移動する。
デッドボルト１０がストッパ１１ａ、１１ｂ位置を通り過ぎると、ストッパ１１ａ、１１ｂがバネ勢力で摺動体１６の斜面１６ａ、１６ｂを下り降り、デッドボルト１０の後側に移動する
【０００４】
また、モータ１３を逆転させてデッドボルト１０を解錠位置に向かって後退させる場合は、ストッパ１１ａ、１１ｂが摺動体１６の斜面１６ａ、１６ｂを登りあがり、図示する如くデッドボルト１０の後部から離れる。
なお、シリンダ錠やサムターンを手動操作でギア１４を回転させても上記同様にデッドボルト１０を進退させることができる。
なお、手動操作するときは、クラッチ板１８が離れクラッチが非連結となる。
【０００５】
この結果、デッドボルト１０が施錠位置にあるときは、工具などを使ってデッドボルト１０を後退させようとしても、デッドボルト１０がストッパ１１ａ、１１ｂに突き当たるから、デッドボルト１０の後退移動が阻止され、不正行為による扉の解錠が防止される。
【先行技術文献】
【特許文献】
【０００６】
【特許文献１】特公平５−９５９６号
【発明の概要】
【発明が解決しようとする課題】
【０００７】
上記した従来の施解錠装置は、施錠位置に進出させたデッドボルト１０がストッパ１１ａ、１１ｂによって支持されるため、デッドボルト１０が不正行為によって退出移動されて解錠されることはないが、しかし、ユーザーが意図的に解錠操作する場合でも、ストッパ１１ａ、１１ｂが摺動体１６の斜面１６ａ、１６ｂを登り摺動して後退移動するために、解錠操作が重くなり、また、ストッパ１１ａ、１１ｂが斜面１６ａ、１６ｂに引っかかることがあり、操作性が必ずしも好ましくないと言う問題があった。
【０００８】
そこで、本発明では、不正な解錠行為を防止するためのデッドボルトのストッパが正規な解除操作の妨害とならないように構成した扉の施解錠装置を提供することを目的とする。
【課題を解決するための手段】
【０００９】
上記した目的を達成するため、本発明では第１の発明として、錠箱に備えたギア付きのハブを手動操作または電動駆動で回転させ、ハブのギアに噛合させたラックを有する摺動体に連動させてデッドボルトを進退させる構成の施解錠装置において、前記デッドボルトが施錠位置に移ったときその一部を係止可能として解錠方向への移動を阻止するストッパ部材と、僅かな遅れ時間をおいてデッドボルトを追随させる摺動体の連動機構と、前記摺動体に連動し、前記の遅れ時間の間に前記ストッパ部材の係止を解除させるリンク機構とを設けたことを特徴とする扉用の施解錠装置を提案する。
【００１０】
第２の発明としては、上記した第１の発明の扉用の施解錠装置において、前記ハブを施錠方向または解錠方向に回転付勢する第１スプリングと、前記摺動体と前記デッドボルトとの間に設け、デッドボルトに施錠方向の移動勢力を与える第２スプリングとを設けたことを特徴とする扉用の施解錠装置を提案する。
【００１１】
第３の発明としては、上記した第１または第２の発明の扉用の施解錠装置において、前記リンク機構は、揺動部材とこの揺動部材に連結した係止解除部材とを備え、前記揺動部材には、前記デッドボルトに揺動可能に軸支する軸部と、この軸支部から離れた位置にピン孔とを設け、さらに、前記デッドボルトには前記ピン孔に対応する位置に長孔を設けると共に、前記摺動体には前記ピン孔と長孔とに連通させた駆動ピンを設けて構成したことを特徴とする扉用の施解錠装置を提案する。
【００１２】
第４の発明としては、上記した第１〜第３のいずれかの発明の扉用の施解錠装置において、前記ストッパ部材は、基部を前記錠箱のハウジングに旋回可能に軸着した長形レバーで、その先端部を前記デッドボルトに接近させる方向にバネ勢力を有するスプリングを備えていることを特徴とする扉用の施解錠装置を提案する。
【００１３】
第５の発明としては、上記した第４の発明の扉用の施解錠装置において、前記ストッパ部材の先端部によって係止する前記デッドボルトの係止部には凸部を設けたことを特徴とする扉用の施解錠装置を提案する。
【発明の効果】
【００１４】
第１の発明によれば、摺動体の連動機構によって、摺動体が解錠方向に向かって摺動することにより、僅かな遅れ時間をおいてデッドボルトを後退移動する。
したがって、リンク機構がその遅れ時間の間にストッパ部材の係止を解除させる
【００１５】
すなわち、施錠位置にあるデッドボルトがストッパ部材の係止によって不正解錠行為による解錠が確実に防止される一方、ユーザーが意図的に解錠するときは、摺動体に連動するデッドボルトが僅かな遅れ時間をおいて摺動体に追随するから、デットボトルが静止しているその遅れ時間の間にストッパ部材の係止が解除され、その後にデッドボルトが解錠位置に向かって移動する。
【００１６】
この結果、施錠位置にあるデッドボルトがストッパ部材の係止によって不正解錠行為による解錠が確実に防止される一方、正規の解錠操作にあたってストッパ部材が引っかかる等の弊害の問題がなく操作性の良い施解錠装置となる。
【００１７】
第２の発明では、摺動体とデッドボルトとの間に第２スプリングを設けた点に特徴がある。
すなわち、解錠動作時には、デッドボルトが摺動体の摺動初期でこの第２スプリングのバネ勢力を受けて施錠位置に留まっている。
そして、摺動体の動作に連動してリンク機構が動作してストッパ部材による係止を解除させる。
【００１８】
第３の発明は、揺動部材と係止解除部材とでリンク機構を構成したことが特徴となっている
すなわち、揺動部材はデッドボルトに軸支した支軸部を中心に揺動する。
そして、揺動体のピン孔とデッドボルトの長孔に連通させた摺動体の駆動ピンが、摺動体の摺動でデットボルトの長孔内を移動している間に揺動部材が旋回して係止解除部材を動作し、ストッパ部材の係止を解除させる。
【００１９】
第４の発明は、基部を錠箱のハウジングに軸着して長形の旋回レバーによってストッパ部材を形成し、さらに、このストッパ部材には、その先端部をデッドボルトに接近させる方向にバネ勢力を与える構成としたことに特徴がある。
【００２０】
第５の発明は、デッドボルトを直接操作する不正行為時は、ストッパ部材の先端部がデッドボルトの凸部に嵌合する。
例えば、デッドボルトを後退（解錠方向移動）させる方向に力を加えながら、デッドボルトを細かく振動させるような不正解錠行為がおこなわれても、ストッパ部材の凹部がデッドボルトの凸部に嵌合するので、ストッパ部材の係止が外れることがなく、不正解錠行為が確実に防止される。
【図面の簡単な説明】
【００２１】
【図１】本発明の一実施形態を示す扉用の施解錠装置の分解斜視図である。
【図２】上記した施解錠装置の正面図である。
【図３】一部分を断面して示した上記施解錠装置の部分的な拡大側断面図である。
【図４】上記施解錠装置に備える錠箱の内部構造（施錠状態）を示した正面図である。
【図５】解錠状態を示す図４同様の正面図である。
【図６】上記施解錠装置の錠箱に備えたハブの拡大側面図である。
【図７】上記施解錠装置に備えたストッパ部材の係止動作を示した拡大部分図である。
【図８】ラックギアの付いた摺動体を取り外し、ストッパ部材の係止解除動作を示した図７同様の拡大部分図である。
【図９】図７上のＰ部分を拡大して示した部分図である。
【図１０】従来例として示した施解錠装置の断面図である。
【発明を実施するための形態】
【００２２】
次に、本発明に係る施解錠装置の一実施形態について図面に沿って説明する。
図１〜図５に示すように、この施解錠装置４０は、扉（図示省略）に装備される錠箱４１と、扉の外側で錠箱４１に取り付けた操作錠部４２と、扉の内側で錠箱４１に取り付けられたサムターン４３とより構成してある。
【００２３】
そして、錠箱４１には、ハウジング４４によって回転可能に支持させた筒状のハブ４５と、このハブ４５の回転に応動して摺動するラックギア４６ａ付きの摺動体４６と、摺動体４６に連動させて進退させるデッドボルト４７などが設けてある。
なお、ハブ４５の内周面には筒軸方向に沿って形成した凸形部（被駆動部）４５ａが設けてある。
上記したデッドボルト４７は、扉の旋回端面から進出し、扉枠に設けられたストライク（係止孔）に突入し、扉の開放を阻止して施錠する。
【００２４】
さらに、この錠箱４１には、図４に示すように、ハブ４５を電動駆動するアクチュエータ４８やアクチュエータ４８の駆動状態を検出する検出スイッチ４９と検出レバー５０、コントローラを構成する電子部品などを搭載させたプリント基板５１、ハブ４５を施錠方向に、また、解錠方向に付勢するスプリング５２が備えてある。
そして、特に、この施解錠装置には、デッドボルト４７を係止するストッパ部材５３とこのストッパ部材５３の係止を解除させるリンク機構５４とが備えてある。
【００２５】
上記の操作錠部４２には、後方向きに突出させたシリンダ錠５５が設けてあり、また、表面にはシャッタを備えるキー挿入孔５６が備えてある。
上記の操作錠部４２は、図３に示すように、ハブ４５内にシリンダ錠５５を部分的に挿入させるようにして錠箱４１に取り付けてある。
なお、操作錠部４２は、図１に示す取付ネジ５７を使用してサムターン４３と共に錠箱４１に取り付ける。
【００２６】
そして、このように取り付けた操作錠部４２は、シリンダ錠５５のインナーシリンダ５８と一体回転する係合板５９をハブ４５の凸形部４５ａに係合させてあり、キーによるインナーシリンダ５８の回転にしたがってハブ４５を回転させるようになっている。
【００２７】
一方、図６に示すように、上記したハブ４５は、円筒状のハブ基体６０と、このハブ基体６０の外周囲に設けた第１ギア６１、第２ギア６２とより形成してある。
第１ギア６１はハブ基体６０に回転可能に嵌着してあり、また、第２ギア６２はハブ基体６０にインサート成形した固定のギアとなっている。
なお、 第１ギア６１に設けたギア側突起６１ａとハブ基体６０に設けた基体側突起６０ａとでクラッチ機構を構成している。
【００２８】
このように形成したハブ４５は、図１，図２、図３に示したように、両端部をハウジング４４によって回転可能に支持させるようにして錠箱４１内に備えてある。
そして、このハブ４５の凸形部４５ａには、既に述べたように、シリンダ錠５５のインナーシリンダ５８に設けた係合板５９が係合可能となっており、インナーシリンダ５８の回転にしたがって凸形部４５ａが係合板５９によって駆動されることでハブ４５が回転する。
なお、サムターン４３を回転操作した場合にも上記同様にハブ４５が回転する。
【００２９】
また、ハブ４５の第１ギア６１には、電動機構であるアクチュエータ４８の連動ギア６３を噛合させてあり、アクチュエータ４８の駆動によって第１ギア６１を回転させる構成としてある。
すなわち、第１ギア６１が空転してギア側突起６１ａが基体側突起６０ａに当接しクラッチ連結した後にハブ４５がバブ基体６０を伴って回転する。
【００３０】
したがって、ハブ４５が回転すると、ハブ基体６０と一体回転する第２ギア６２に噛合させたラックギア４６ａを設けた摺動体４６が摺動することから、デッドボルト４７が進出しまた退出する。
【００３１】
なお、ハブ４５がアクチュエータ４８によって駆動され回転する場合は、ギア側突起６１ａが旋回するので、支軸６４を支点に旋回可能とした検出レバー５０がこのギア側突起６１ａに連動して起伏し、検出スイッチ５０をＯＮ/ＯＦＦ動作させる。
したがって、アクチュエータ４８が検出スイッチ４９のＯＮによって停止制御される。
なお、アクチュエータ４８は、携帯機（図示省略）からの無線信号を受信して動作モードとなり、操作錠部４２の押しボタン６５を押下することで始動する。
【００３２】
一方、上記したストッパ部材５３は、デッドボルト４７が施錠位置にあるときに、このデッドボルト４７の一部を係止可能に設けた旋回レバーである。
このストッパ部材５３は、図４、図５、図７、図８に示すように、その基部をハウジング４４に支軸６６によって旋回可能に軸着し、また、スプリング６７を設け、このスプリング６７によって右旋回方向の回転勢力が与えてある。
【００３３】
すなわち、ストッパ部材５３は、右旋回方向の旋回勢力を受けているので、その先端部５３ａが常にデッドボルト４７に接近している。
したがって、デッドボルト４７が施錠位置に移動すると、図３、図７から分かる通り、ストッパ部材５３の先端部５３ａがデッドボルト４７の係止部４７ａに接近して係止可能となる。
【００３４】
上記のストッパ部材５３はリンク機構５４によって係止解錠される。
このリンク機構５４は、図４、図５や拡大図として示した図７、図８より分かるように、揺動部材６８と係止解除部材６９とより構成してある。
揺動部材６８は３腕形の板材であり、第１腕に当たる板部は軸部６８ａによって揺動可能にデッドボルト４７に軸着し、第２腕に当たる板部にはピン孔６８ｂが設けてあり、第３腕に当たる板部が軸部６８ｃにより係止解除部材６９の基部に軸着させてある。
なお、摺動部材６８は、デッドボルト４７の側面と摺動体４６の側面との間に挟まれるように配置されている。
【００３５】
摺動体４６は図3に示すようにコの字状をしており、板状のデッドボルト４７の上面および側面を覆うようにデッドボルト４７に対して摺動が可能な状態で嵌合されている。
デッドボルト４７には、このボルト４７の進退方向に長くし上記のピン孔６８ｂに対応する位置に長孔４７ｂが設けてある。
さらに、このデッドボルト４７と摺動体４６との間にはスプリング７１を設けている。
スプリング７１は図7に示すように、一端（図7の左側）がデッドボルトに当接し、他端（図7の右側）は摺動体４６に当接した状態で、デッドボルト４７に形成した凹所内に配置してある。
このスプリング７１の伸張する力によってデッドボルト４７に施錠方向（図7の左方向）のバネ勢力を与えてある。
そして、摺動体４６には揺動部材６８のピン孔６８ｂとデットボルト４７の長孔４７ｂとに連通させた駆動ピン７０が設けてある。すなわち、デッドボルト４７に対して摺動体４６が摺動すると、摺動体４６に軸着されている駆動ピン７０がデッドボルト４７の長孔４７ｂ内を摺動する。
【００３６】
このように構成したリンク機構５４は、摺動体４６が施錠位置から摺動する初期では、駆動ピン７０がデッドボルト４７の長孔４７ｂ内を移動するため、摺動体４６のみデッドボルト４７に対して独立して移動する。
すなわち、摺動体４６が摺動してもデッドボルト４７がスプリング７１のバネ勢力を受けているため移動せず、施錠位置を保持している。
【００３７】
したがって、図４，図７に示した施錠位置から摺動体４６が解錠位置に向かって摺動する場合は、駆動ピン７０が長孔４７ｂ内を移動する摺動初期では、デッドボルト４７が静止したままとなり、摺動体４６のみがデッドボルト４７に対して独立して摺動し、この結果、揺動部材６８が駆動ピン７０によって引き回され、軸部６８ａを支軸として左回転する。
【００３８】
この動作により、係止解除部材６９が下方に向かって移動し、その先端部によってストッパ部材５３が押動されることから、ストッパ部材５３がバネ勢力に抗して左旋回し、その先端部５３ａがデッドボルト４７の係止部４７ａから離れ、ストッパ部材５３の係止が解除される。
なお、係止解錠部材６９は、デッドボルト４７に形成した摺動溝内を摺動して移動するようになっている。
【００３９】
駆動ピン７０が長孔４７ｂの端部にまで移動する間にストッパ部材５３による係止が解除され、その後、摺動体４６の摺動による駆動ピン７０の移動により、長孔４７ｂの端部が駆動ピン７０によって押動されることでデッドボルト４７が解錠方向に向かって移動（後退移動）する。
図５、図８は、デッドボルト４７が解錠位置に移動した状態を示しており、ストッパ部材５３の先端側がデッドボルト４７の山形凸部４７ｃに乗り上がり係止解除を保っている。
【００４０】
上記した如く、本実施形態の施解錠装置は、デッドボルト４７が施錠位置にあるときは、デッドボルト４７の係止部４７ａがストッパ部材５３によって係止されているので、デッドボルト４７を後退させて行われる不正解錠が確実に防止される一方、ユーザーが意図的に解錠する場合には、摺動体４６の摺動初期でリンク機構５４が動作し、デッドボルト４７が静止した状態でストッパ部材５３の係止が解除される。
【００４１】
すなわち、ストッパ部材５３の係止解除が、摺動体４６の駆動ピン７０が長孔４７ｂ内を移動している間、つまり、デッドボルト４７を移動させず静止したままとする摺動体４６の摺動初期の動作で行われる。
具体的には、摺動体４６の摺動初期に連動するリンク機構５４の動作によって係止解除されるので、ストッパ部材５３の先端部５３ａがデッドボルト４７の係止部４７ａに引っかかるようなことがなく、スムースな係止解除となり、操作性に優れる施解錠装置となる。
【００４２】
この結果、本実施形態の施解錠装置では、駆動ピン７０をデッドボルト４７の長孔４７ｂの端部にまで移動させる摺動体４６の摺動初期後の摺動体４６の摺動に連動されてデッドボルト４７が解錠方向に向かって移動することから、デッドボルト４７が摺動体４６の摺動に対して僅かな遅れ時間をおいて移動することになる。
【００４３】
他方、上記したストッパ部材５３の先端部５３ａは、図９に示したようにデッドボルト４７の係止部４７ａに設けた凸部４７ｄに嵌合させる構成とすることができる。
このように構成することによって、例えば、デッドボルト４７を後退（解錠方向移動）させる方向に力を加えながら、デッドボルト４７を細かく振動させるような不正解錠行為が行われても、ストッパ部材５３の先端部５３ａがデッドボルト４７の凸部４７ｄに嵌合するので、ストッパ部材５３の係止が外れることがなく、不正解錠行為を確実に防止することができる。
【産業上の利用可能性】
【００４４】
扉用の施解錠装置や車両用ドアの施解錠装置として適用することができる。
【符号の説明】
【００４５】
４０  施解錠装置
４１  錠箱
４２  操作錠部
４５  ハブ
４５ａ  凸形部
４６  摺動体
４６ａ  ラックギア
４７  デッドボルト
４７ａ  係止部
４７ｂ  長孔
４７ｄ  凸部
４８  アクチュエータ
５３  ストッパ部材
５３ａ  先端部
５４  リンク機構
５５  シリンダ錠
５８  インナーシリンダ
５９  係合板
６３  連動ギア
６６  支軸
６７  スプリング
６８  揺動部材
６８ａ  軸部
６８ｂ  ピン孔
６８ｃ  軸部
６９  係止解除部材
７０  駆動ピン
７１  スプリング
【図１】
2017197990.tif 000003
【図２】
2017197990.tif 000004
【図３】
2017197990.tif 000005
【図４】
2017197990.tif 000006
【図５】
2017197990.tif 000007
【図６】
2017197990.tif 000008
【図７】
2017197990.tif 000009
【図８】
2017197990.tif 000010
【図９】
2017197990.tif 000011
【図１０】
2017197990.tif 000012